【事件の表示】
　特願２０００−５９６７３０「ライン状光源およびこれを備えた画像読み取り装置」拒絶査定不服審判事件〔平成１２年　８月　３日国際公開、ＷＯ００／４５５８９〕について、次のとおり審決する。
【結　論】
　本件審判の請求は、成り立たない。
【理　由】
第１　手続きの経緯
　本願は、平成１１年１２月２７日（優先権主張平成１１年１月２６日）を国際出願日とするの出願であって、平成１８年４月２８日付けで拒絶査定がされ、これに対して同年６月１５日に拒絶査定不服審判が請求されるとともに同年７月１８日に手続補正書が提出されたものである。
　
第２　平成１８年７月１８日付けの手続補正の却下について
　１　補正却下の決定の結論
　平成１８年７月１８日付けの手続補正を却下する。
　
　２　理由
　（１）　補正後の本願発明
　本件補正後の本願の発明は、平成１８年７月１８日付けで補正された特許請求の範囲の請求項１ないし９に記載されたものと認められるところ、その請求項５に記載された発明（以下、「本願補正発明」という。）は、次のとおりのものである。
　「【請求項５】第１端部及びこれとは反対側の第２端部を有する絶縁性の基板と、前記基板に支持され、且つ、前記第１端部から前記第２端部へ延びる列状に等間隔に配置された複数の発光素子と、前記複数の発光素子に電気的に接続し、且つ、前記基板の第１端部から第２端部へ向かう方向に延びる第１及び第２配線部を含む、配線パターンと、前記基板上に互いに近接して形成された第１及び第２端子部と、を具備し、前記第１配線部は、前記基板の第１端部に近い接続端部を含んでおり、前記第２配線部は、前記基板の第２端部に近い接続端部を含んでおり、前記第１配線部の接続端部を前記第１端子部に接続し、且つ、前記第２配線部の接続端部を前記第２端子部に接続する構成を備える画像読み取り装置用ライン状光源であって、
　前記複数の発光素子は、前記第１配線部と前記第２配線部との間に配置されており、且つ、前記配線パターンによって複数のグループに区分されているとともに、各グループに属する発光素子は、前記第１配線部と前記第２配線部との間において、前記第１配線部と前記第２配線部と平行に延びるように形成された補助配線部を介して配置されていることを特徴とする、画像読み取り装置用ライン状光源。」
　
　本件補正は、平成１８年３月６日付け手続補正書により補正された特許請求の範囲の請求項６に記載した発明を特定するために必要な事項である「複数の発光素子」の配置、「第１及び第２端子部」の位置関係、及び「ライン状光源」の使用形態をより具体的に限定する補正であり、平成１８年改正前特許法１７条の２第４項２号の特許請求の範囲の減縮を目的とするものに該当する。
　そこで、本件補正後の特許請求の範囲の請求項に記載された発明が特許出願の際独立して特許を受けることができるものであるか（平成１８年改正前特許法１７条の２第５項において準用する同法１２６条５項の規定に適合するか）について以下に検討する。
　
　（２）　引用例
　原査定の拒絶の理由で引用された特開平６−６４２２８号公報（以下、「引用例」という。）には次の事項が図面と共に開示されている。（記載箇所は段落番号等で表示）
　ア　「【発明の詳細な説明】
【０００１】
【産業上の利用分野】本発明は、ＬＥＤプリンタ等に使用され、多数のＬＥＤ素子を列状に配設したＬＥＤ発光装置に関する。
（中略）
【０００５】
【従来技術の問題点】しかしながら、セラミック基板１４上に一列に形成されるＬＥＤ素子は、上述のように多数のＬＥＤ素子を一列に形成したＬＥＤチップ１５を複数配設して構成されている。そして、従来のＬＥＤ発光装置は上述のように、各ＬＥＤチップ内のＬＥＤ素子と対応するＩＣ回路１６との関係のみについて、ＬＥＤ素子に流れる電流を均一にするものである。すなわち、各ＬＥＤチップ１５相互間での供給電流の均一化を図るものではない。
【０００６】この為、同時に発光するＬＥＤ素子の個数が少ない場合はそれほど問題はないが、全ＬＥＤ素子が同時に発光する場合には各ＬＥＤチップ１５間に誤差が生じ、全ＬＥＤ素子の発光光量を均一に保てない。すなわち、各ＬＥＤチップ１５の配設位置と電源パターン１８、接地パターン１９の配線関係から、電源供給位置に近い、例えばＬＥＤチップ１５’では抵抗損が少ないから供給電流が多くなる一方、電源供給位置から遠く離れた位置のＬＥＤチップ１５”では抵抗損が大きいことから供給電流が少なく、発光光量が減るからである。
【０００７】尚、同図に示す配線パターン２０〜２３は、ＩＣ回路１６へ印字データや、クロック信号、ラッチ信号、ストローブ信号等のデータや信号の授受を行う為のパターンである。
【０００８】
【発明の目的】本発明は上記従来の問題点に鑑み、全てのＬＥＤ素子の発光光量を均一にすることを可能としたＬＥＤ発光装置を提供することを目的とする。
【０００９】
【発明の要点】本発明は上記目的を達成する為に、ライン状に並んだ複数のＬＥＤ素子の各々に電源を供給して発光させるＬＥＤ発光装置において、前記各ＬＥＤ素子のアノード端子に高電位電圧を供給する高電圧分岐給電路群が集約された第１の共通給電パターンと、前記各ＬＥＤ素子のカソード端子に低電位電圧を供給する低電圧分岐給電路群が集約された第２の共通給電パターンとを有し、前記第１の共通給電パターンと前記高電圧分岐給電路群との第１の接続点と、前記第２の共通給電パターンと前記低電圧分岐給電路群との第２の接続点とは、前記ＬＥＤ素子が構成するラインの両端に配置されたことを特徴とする。
【００１０】
【実施例】以下、本発明の一実施例について図面を参照しながら説明する。図１は本実施例のＬＥＤ発光装置に使用され、多数のＬＥＤ素子が配設された基板の構成図である。同図において、基板１上には電源線パターン２、データ信号線パターン３、クロック信号線パターン４、ラッチ信号線パターン５、ストローブ信号線パターン６、−電圧供給線パターン７等のパターン配線と、多数個のＬＥＤ素子が形成されたＬＥＤアレー８、駆動用ＩＣ９、及びチップ別調整抵抗１０が配設されている。
【００１１】ＬＥＤアレー８は所定個のＬＥＤ素子が形成された複数のＬＥＤチップ８ａ、８ｂ、・・・を一列に配設して構成され、例えば各ＬＥＤチップ８ａ、８ｂ、・・・の配設間隔は数１０ミクロン単位である。また、駆動用ＩＣ９も各ＬＥＤチップ８ａ、８ｂ、・・・に対応して設けられ、ＬＥＤチップ８ａ、８ｂ、・・・と各々対応する駆動用ＩＣ９ａ、９ｂ、・・・は所定数のワイヤボンディング１２によって接続されている。
【００１２】また、駆動用ＩＣ９ａ、９ｂ、・・・は上述の電源線パターン２、データ信号線パターン３、クロック信号線パターン４、ラッチ信号線パターン５、ストローブ信号線パターン６と接続する端子Ａ１〜Ａ１１を有している。例えば、端子Ａ１、Ａ２、Ａ１０、Ａ１１は高電位電圧を供給する電源線パターン２と接続し、この接続線を介して各駆動用ＩＣ９ａ、９ｂ、・・・には高電位電圧が供給される。また、端子Ａ３、Ａ７はデータ信号線パターン３に接続し、この接続線を介して各駆動用ＩＣ９ａ、９ｂ、・・・には印字データが供給される。同様に、端子Ａ４、Ａ８、Ａ９は各々クロック信号線パターン４と、ラッチ信号線パターン５と、ストローブ信号線パターン６が接続され、この接続線を介して各駆動用ＩＣ９ａ、９ｂ、・・・にクロック信号、ラッチ信号、及びストローブ信号を供給する。また、端子Ａ５、Ａ６はチップ別調整抵抗１０に接続され、ＬＥＤチップ８ａ、８ｂ、・・・間の抵抗誤差を調整している。
【００１３】尚、図示しないが、各駆動用ＩＣ９ａ、９ｂ、・・・、及びＬＥＤチップ８ａ、８ｂ、・・・は基板上で低電位を供給する−電圧供給線パターン７と接続されている。
【００１４】電源線パターン２には不図示の電圧レギュレータから上述のように高電位の電圧が供給される。この電源線パターン２への電源供給位置は電源線パターン２の端部である位置２ａであり、電源線パターン２はこの位置２ａから折り返し部２ｂまで延設され、さらに逆方向に位置２ｃまで延設されている。ここで、電源線パターン２の中で位置２ａ〜折り返し位置２ｂまでが第１の共通給電パターンであり、折り返し位置２ｂ〜位置２ｃまでが分岐給電路群である。この分岐給電路群には、前述の駆動用ＩＣ９ａ、９ｂ、・・・の端子Ａ１、Ａ２、Ａ１０、Ａ１１に接続された接続線が接続され、同図の最も左端に位置する駆動用ＩＣ９ａの端子Ａ1 が接続される接続点を第１の接続点Ｂ１とする。この第１の接続点Ｂ１から同図の右側の分岐給電路群には駆動用ＩＣ９ａ、９ｂ、・・・の端子Ａ１、Ａ２、Ａ１０、Ａ１１が順次接続され、各駆動用ＩＣ９ａ、９ｂ、・・・への電源供給を行う。尚、電源線パターン２は銅泊で構成され、一定の抵抗値を有している。したがって、第１の接続点Ｂ１に近い駆動用ＩＣ９ａでは抵抗損は少ないが、第１の接続点Ｂ１から離れた位置２ｃでは抵抗損は大きい。
【００１５】一方、第２の共通給電パターンとしての−電圧供給線パターン７には、その端部７ａに−電圧が供給される。そして、同図の最も右側に位置するＬＥＤチップ８ｎとの接続点を第２の接続点Ｂ２とする。この第２の接続点Ｂ２から同図の左側の分岐給電路群には順次駆動用ＩＣ９ｎ、９ｎ−１、・・・、及びＬＥＤチップ８ｎ、８ｎ−１、・・・の端子（不図示）が接続されている。したがって、上述の構成から分かるように、ＬＥＤ素子のアノードに供給される高電位電圧は電源線パターン２側から供給され、ＬＥＤ素子のカソードに供給される低電位電圧は−電圧供給線パターン７側から供給され、電源線パターン２に設けられた第１の接続点Ｂ１と−電圧供給線パターン７に設けられた第２の接続点Ｂ２はＬＥＤアレー８に対して対象の位置に設けられた構成である。」
　上記アの記載によると、引用例には、「ＬＥＤプリンタ等に使用され、基板１と、多数個のＬＥＤ素子が形成されたＬＥＤアレー８と、その端部７ａに−電圧が供給される、−電圧供給線パターン７と、電源線パターン２への電源供給位置は電源線パターン２の端部である位置２ａであり、位置２ａ〜折り返し位置２ｂまでが第１の共通給電パターンであり、折り返し位置２ｂ〜位置２ｃまでが分岐給電路群である電源線パターン２とを具備し、電圧レギュレータから電圧を供給し、ＬＥＤ素子のアノードに供給される高電位電圧は電源線パターン２側から供給され、ＬＥＤ素子のカソードに供給される低電位電圧は−電圧供給線パターン７側から供給され、ライン状に並んだ複数のＬＥＤ素子の各々に電源を供給して発光させ、全ＬＥＤ素子が同時に発光する場合に全てのＬＥＤ素子の発光光量を均一にすることを可能としたＬＥＤ発光装置。」の発明（以下、「引用発明」という。）が記載されていると認められる。
　
　（３）　対比
　本願補正発明と引用発明とを対比する。
　引用発明は、ライン状に並んだ複数のＬＥＤ素子の各々に電源を供給して発光させる「ＬＥＤ発光装置」に関するものであり、光源として機能することは明らかであるから、本願補正発明と同様に「ライン状光源」に関するものといえる。
　配線パターンを形成し、電子回路に用いる基板が、第１端部及びこれとは反対側の第２端部を有する矩形であり、絶縁素材で形成されることは技術常識であるから、引用発明の「基板１」は、本願補正発明の「第１端部及びこれとは反対側の第２端部を有する絶縁性の基板」に相当する。
　ライン状に並んだ複数のＬＥＤ素子の各々に電源を供給して発光させる「ＬＥＤ発光装置」である引用発明における「多数個のＬＥＤ素子が形成されたＬＥＤアレー８」は、本願補正発明の「基板に支持され、且つ、第１端部から第２端部へ延びる列状に等間隔に配置された複数の発光素子」に相当する。
　引用発明のＬＥＤ素子に電圧を供給する「−電圧供給線パターン７」と「折り返し位置２ｂ〜位置２ｃまでが分岐給電路群である電源線パターン２」とは、本願補正発明の「複数の発光素子に電気的に接続し、且つ、基板の第１端部から第２端部へ向かう方向に延びる第１及び第２配線部」にそれぞれ相当し、引用発明は当該「第１及び第２配線部を含む、配線パターン」を具備しているといえる。
　引用発明の電源供給位置である、−電圧供給線パターン７の「端部７ａ」と電源線パターン２の端部である「位置２ａ」とは、電圧レギュレータから電圧を供給するための部位であるから、本願補正発明の「基板上に形成された第１及び第２端子部」にそれぞれ相当する。
　本願補正発明の「第１配線部」に相当する引用発明の「−電圧供給線パターン７」は、その端部７ａに−電圧が供給されているから、「基板の第１端部に近い接続端部を含んでおり、」さらに「第１配線部の接続端部を第１端子部に接続し」ているといえる。
　本願補正発明の「第２配線部」に相当する引用発明の「電源線パターン２」は、電源供給位置が電源線パターン２の端部である位置２ａであり、位置２ａ〜折り返し位置２ｂまでが第１の共通給電パターンであり、折り返し位置２ｂ〜位置２ｃまでが分岐給電路群であるから、「基板の第２端部に近い接続端部を含んでおり、」さらに「第２配線部の接続端部を第２端子部に接続する構成」を備えているといえる。
　引用発明において、ＬＥＤ素子のアノードに供給される高電位電圧は電源線パターン２側から供給され、ＬＥＤ素子のカソードに供給される低電位電圧は−電圧供給線パターン７側から供給されるから、「複数の発光素子は、第１配線部と第２配線部との間に配置されて」いるといえる。
　
　以上を踏まえると、両者の一致点及び相違点は以下のとおりである。
【一致点】
　第１端部及びこれとは反対側の第２端部を有する絶縁性の基板と、前記基板に支持され、且つ、前記第１端部から前記第２端部へ延びる列状に等間隔に配置された複数の発光素子と、前記複数の発光素子に電気的に接続し、且つ、前記基板の第１端部から第２端部へ向かう方向に延びる第１及び第２配線部を含む、配線パターンと、前記基板上に形成された第１及び第２端子部と、を具備し、前記第１配線部は、前記基板の第１端部に近い接続端部を含んでおり、前記第２配線部は、前記基板の第２端部に近い接続端部を含んでおり、前記第１配線部の接続端部を前記第１端子部に接続し、且つ、前記第２配線部の接続端部を前記第２端子部に接続する構成を備えるライン状光源であって、
　前記複数の発光素子は、前記第１配線部と前記第２配線部との間に配置されているライン状光源。
【相違点】
　本願補正発明のライン状光源が「画像読み取り装置用」であり、その複数の発光素子が「配線パターンによって複数のグループに区分されているとともに、各グループに属する発光素子は、第１配線部と第２配線部との間において、前記第１配線部と前記第２配線部と平行に延びるように形成された補助配線部を介して配置されている」ものであり、かつ、第１及び第２端子部が「基板上に互いに近接して」形成されているのに対し、引用発明のライン状光源が「ＬＥＤプリンタ」等に使用されるものであり、補助配線部を有せず、段落【００１０】及び【図１】に示されるように、本願補正発明の第１及び第２端子部に相当する−電圧供給線パターン７の「端部７ａ」、及び、電源線パターン２の「位置２ａ」がデータ信号線パターン３、クロック信号線パターン４、ラッチ信号線パターン５、ストローブ信号線パターン６を介在させて形成されている点。
　
　（４）　当審の判断
　上記相違点について検討する。
　第１端部及びこれとは反対側の第２端部を有する絶縁性の基板と、前記基板に支持され、且つ、前記第１端部から前記第２端部へ延びる列状に等間隔に配置された複数の発光素子と、前記複数の発光素子に電気的に接続し、且つ、前記基板の第１端部から第２端部へ向かう方向に延びる第１及び第２配線部を含む、配線パターンを具備し、複数の発光素子が、「配線パターンによって複数のグループに区分されているとともに、各グループに属する発光素子は、第１配線部と第２配線部との間において、前記第１配線部と前記第２配線部と平行に延びるように形成された補助配線部を介して配置されている」イメージセンサすなわち「画像読み取り装置用」のライン状光源は特開平６−１２０５６５号公報に示されるように周知である。
　前記周知の画像読み取り装置用ライン状光源が、全ＬＥＤ素子を同時に発光させて利用するものであることは明らかであり、引用発明と前記周知の画像読み取り装置用ライン状光源とは、いずれも全ＬＥＤ素子を同時に発光させて利用するライン状光源という共通する技術分野に属するから、ライン状光源において全ＬＥＤ素子が同時に発光する場合に全てのＬＥＤ素子の発光光量を均一にすることを可能とする引用発明の構成を前記周知の画像読み取り装置用ライン状光源に適用し、複数の発光素子が、「配線パターンによって複数のグループに区分されているとともに、各グループに属する発光素子は、第１配線部と第２配線部との間において、前記第１配線部と前記第２配線部と平行に延びるように形成された補助配線部を介して配置されている」画像読み取り装置用ライン状光源において、第１及び第２端子部を基板上に形成し、「第１配線部は、基板の第１端部に近い接続端部を含んでおり、第２配線部は、前記基板の第２端部に近い接続端部を含んでおり、前記第１配線部の接続端部を前記第１端子部に接続し、且つ、前記第２配線部の接続端部を前記第２端子部に接続する構成を備える」ことは当業者が容易に想到し得ることといえる。
　そして、画像読み取り装置用ライン状光源には、プリンタで用いられる、データ信号線パターン３、クロック信号線パターン４、ラッチ信号線パターン５、ストローブ信号線パターン６が必要ないことは明らかであるから、引用発明の構成を前記周知の画像読み取り装置用ライン状光源に適用した場合に、第１及び第２端子部が基板上に互いに近接して配置されることは当然の事項である。
　一方、本願補正発明の奏する効果は、引用例に記載された発明、及び前記周知事項から想定できる程度のものにすぎず、格別なものとはいえない。
　
　したがって、本願補正発明は、引用例に記載された事項及び前記周知事項に基づいて、当業者が容易に発明をすることができたものであるから、特許法２９条２項の規定により特許出願の際独立して特許を受けることができないものである。
　
　（５）　むすび
　以上のとおり、本件補正は、平成１８年改正前特許法１７条の２第５項で準用する同法１２６条５項の規定に違反するものであり、特許法１５９条１項で準用する同法５３条１項の規定により却下されるべきものである。
　
第３　本願発明について
　１　平成１８年７月１８日付けの手続補正は上記のとおり却下されたので、本願の請求項６に係る発明（以下、「本願発明」という。）は、平成１８年３月６日付けで補正された特許請求の範囲（請求項の数は全部で１０である。）の請求項６に記載された以下のとおりのものである。
　「【請求項６】第１端部及びこれとは反対側の第２端部を有する絶縁性の基板と、前記基板に支持され、且つ、前記第１端部から前記第２端部へ延びる列状に実質的に等間隔に配置された複数の発光素子と、前記複数の発光素子に電気的に接続し、且つ、前記基板の第１端部から第２端部へ向かう方向に延びる第１及び第２配線部を含む、配線パターンと、前記基板上に形成された第１及び第２端子部と、を具備し、前記第１配線部は、前記基板の第１端部に近い接続端部を含んでおり、前記第２配線部は、前記基板の第２端部に近い接続端部を含んでおり、前記第１配線部の接続端部を前記第１端子部に接続し、且つ、前記第２配線部の接続端部を前記第２端子部に接続する構成を備えるライン状光源であって、
　前記複数の発光素子は、前記第１配線部と前記第２配線部との間に配置されており、且つ、前記配線パターンによって複数のグループに区分されているとともに、各グループに属する発光素子は、前記第１配線部と前記第２配線部との間において、前記第１配線部と前記第２配線部と平行に延びるように形成された補助配線部を介して配置されていることを特徴とする、ライン状光源。」
　
　２　引用例
　原査定の拒絶の理由に引用された引用例、及びその記載事項は、前記「第２　２（２）」に記載したとおりである。
　
　３　対比・判断
　本願発明は、前記第２で検討した本願補正発明から「複数の発光素子」の配置、「第１及び第２端子部」の位置関係、及び「ライン状光源」の使用形態をより具体的にする限定を省いたものである。
　そうすると、本願発明の構成要件をすべて含み、更に他の構成要件を付加したものに相当する本願補正発明が、前記「第２　２」で判断したとおり、引用例に記載された発明に基づいて、当業者が容易に発明をすることができたものであるから、本願発明も、同様の理由により、引用例に記載された発明に基づいて、当業者が容易に発明をすることができたものである。
　
　４　むすび
　以上のとおり、本願発明は、引用例に記載された発明に基づいて、当業者が容易に発明をすることができたものであるから、特許法２９条２項の規定により特許を受けることができない。
　したがって、本願は、他の請求項について検討するまでもなく拒絶すべきものである。
　よって、結論のとおり審決する。